(57)【要約】【課題】  衣装を効率良く収納あるいは保存しながら観賞でき、また、衣装の潜在的な価値を活用することにより効率良く生活空間を装飾することができる装飾体を提供する。【解決手段】  衣装を主な資材として作成した任意の形状体をインナー部材とし、前期インナー部材を収容したまま観賞、保存できるケースをアウター部材として、前期インナー部材と前期アウター部材とを組み合わせることによって、衣装の収納と保存、観賞の三つの要求に応えるとともに、衣装を小さく収納する際に避けられない皺や型くずれを、装飾効果を高めるための表現手法の一要素とみなして意図的につくることによって、保存しようとする衣装が備えていた潜在的な装飾品としての価値を導き出して、効率良く生活空間を装飾する。【選択図】図１
2011161904.tif 000002
【特許請求の範囲】
【請求項１】
インナー部材とアウター部材とから成る装飾体であって、
前記インナー部材は、衣装を主な資材として、草花を模した形や幾何学模様など任意の形を表した状態を、クリップ、糸、紐、磁石、ピン、粘着テープなどによって保持することにより形成され、前記アウター部材は、前記インナー部材を収容できるとともに、前記インナー部材を観賞できるように、透明もしくは半透明の部分を備えたケースであることを特徴とする装飾体。
【請求項２】
前記アウター部材は、密閉できる構造とし、また、チューブを差し込んだり弁を取付けたりできるひとつ以上の穴を備えることにより、内部の空気を抜き取ったり、内部の空気を窒素ガス等他の物質と置き換えたり、または脱酸素剤や除湿剤、防虫剤等を封入できるようにして、前記インナー部材を長期保存するための対策を施したことを特徴とする請求項１に記載の装飾体。
【請求項３】
前記アウター部材には、前記インナー部材とは別に、貴重品など任意の品物を出し入れできる独立した庫をひとつ以上備えていることを特徴とする請求項１もしくは２に記載の装飾体。
【請求項４】
前記装飾体に、音、光線、画像、映像、色、香り、熱、風、動きのいずれか、或いはこれらのうちの二つ以上を組み合わせて表す装置を備えることにより、前記装飾体の存在感を増したり、前記装飾体の装飾効果を高め得ることを特徴とする請求項１〜３の何れかに記載の装飾体。
【請求項５】
前記アウター部材に、台座、足、照明装置、蝶番、ハンドル、フック、鏡、開閉式の仕切り等、什器や建築材料を構成するための部品のいずれか、あるいはこれらを組み合わせて取付けられるようにしたことにより、机やテーブル、ベッドボード、照明器具、扉、壁掛け、屏風、衝立、間仕切り、鏡台、収納家具、サイン、看板等の実用品の一部もしくは全部として活用できるようにした請求項１〜４の何れかに記載の装飾体。
【発明の詳細な説明】
【技術分野】
【０００１】  本発明は、保存しようとする衣装を主な資材として任意の形状を表現した装飾体に関し、特に衣装を効率良く収納あるいは保存した状態で観賞でき、また、衣装が備えていた装飾品としての潜在的な価値を導き出すことによって、効率良く生活空間を装飾することができる装飾体に関する。
【背景技術】
【０００２】  従来、衣装を収納あるいは保存するためのタンス、ケース、真空パック等は知られている。また、真空パックの応用例として、任意の形状を維持することを特徴とする包装袋も開示されている。（特許文献１参照）【０００３】  また、衣装を保存したままで展示、陳列をしやすくするためのケースも開示されている。（特許文献２参照）【０００４】  さらに、衣装を記念に残すための方法としては、ミニチュアドレスを作成することも知られている。（例えば、特許文献３参照）【０００５】  しかし、衣装の収納、保存、観賞の三つの要求に応え、また生活空間を装飾することができる装飾体は提案されていない。（例えば、非特許文献１〜７参照）【０００６】
【特許文献１】  特開平６−１９９３５４号広報
【特許文献２】  実用新案登録第３１２９０２９号広報
【特許文献３】  特開平１１−３４５９８号広報
【非特許文献１】  「Ａｌｌ  ａｂｏｕｔ」  ｈｔｔｐ：／／ａｌｌａｂｏｕｔ．ｃｏ．ｊｐ／ｇｓ／ｗｅｄｄｉｎｇｄｒｅｓｓ／ｓｕｂｊｅｃｔ／ｍｓｕｂ＿ｃａｔｅ０２．ｈｔｍ
【非特許文献２】  「ＹＡＨＯＯ！知恵袋  ウェディングドレスをレンタルではなく買ったという方に質問。結婚式後は？」  ｈｔｔｐ：／／ａｌｌａｂｏｕｔ．ｃｏ．ｊｐ／ｇｓ／ｗｅｄｄｉｎｇｄｒｅｓｓ／ｓｕｂｊｅｃｔ／ｍｓｕｂ＿ｃａｔｅ０２．ｈｔｍ
【非特許文献３】  「教えて！ｇｏｏ  使用後のウェディングドレスどうしましたか？」  ｈｔｔｐ：／／ｏｓｈｉｅｔｅ１．ｇｏｏ．ｎｅ．ｊｐ／ｑａ１１５０５９６．ｈｔｍｌ
【非特許文献４】  「教えて！ｇｏｏ  ウェディングドレスを買い取った後は・・・？」  ｈｔｔｐ：／／ｏｓｈｉｅｔｅ１．ｇｏｏ．ｎｅ．ｊｐ／ｑａ３４２７８４６．ｈｔｍｌ
【非特許文献５】  「教えて！ｇｏｏ  ウェディングドレスのその後」  ｈｔｔｐ：／／ｏｓｈｉｅｔｅ１．ｇｏｏ．ｎｅ．ｊｐ／ｑａ１３５１２０６．ｈｔｍｌ
【非特許文献６】  「教えて！ｇｏｏ  使用後のウェディングドレスについて」  ｈｔｔｐ：／／ｏｓｈｉｅｔｅ１．ｇｏｏ．ｎｅ．ｊｐ／ｑａ４０８３９４．ｈｔｍｌ
【非特許文献７】  「教えて！ｇｏｏ  ドレスはレンタルが賢明？」  ｈｔｔｐ：／／ｏｓｈｉｅｔｅ１．ｇｏｏ．ｎｅ．ｊｐ／ｑａ３８８０１４６．ｈｔｍｌ
【発明の開示】
【発明が解決しようとする課題】
【０００７】  衣装を収納するとき、折り畳めば皺や型くずれを避けられず、そのまま吊るせば大きなスペースを占有する難点があった。【０００８】  また、保存性を高めようとすると、専用のタンスやケース、あるいはビニール袋の中に密閉することになり、観賞したい場合にはその度に取り出さなければならず不便であった。【０００９】  また、観賞できる状態を優先すると、限られた生活空間においては収納あるいは保存がうまくできなかった。【００１０】  特に、使用済みのウエディングドレスや子供が発表会で着用したバレエコスチュームのように、将来使用する機会をほとんど失った衣装は、収納あるいは保存の要求が強く、観賞の要求もまた強いが、両方の要求に応え得る良い方法がなく、結果としてどちらかを優先しなければならなかった。また、これらの悩みのために自分のドレスを手に入れること自体をあきらめて、レンタルドレスを利用する場合が多かった。【００１１】  そして、上述のとおり特許文献１には任意の形状を維持することを特徴とする包装袋が示されているが、形状を決定するものは外壁を兼ねるビニール袋であるため、衣装をつめこんだ状態は装飾品となりにくい。【００１２】  また、特許文献２には衣装を保存したままで展示、陳列をしやすくするためのケースが示されているが、衣装の原形をできるだけ保つことを前提として考案されているため、衣装の原形から派生する芸術的な装飾効果を得たいという要求には応えられない。また、運搬に適する形状及び重量にすることも前提としているため、永続的な展示用途に対してはケースの耐久性及び美麗さに優れず、装飾品にはなりにくい。また、衣装の保存性を良くするための工夫がされているが、持ち運ぶことを想定しない木製や樹脂製のケースに同じ工夫を施した場合の保存性と比較すると劣るということは、実験結果がなくても想像できる。【００１３】  また、特許文献３にはミニチュアドレスの製作方法が示されている。ミニチュアドレスは、この文献の例に限らず、衣装を記念に残すひとつの方法として認知されている。ミニチュアドレスの場合、原形の雰囲気を小さな形で再現することを前提として、日常生活において観賞をしやすくしているが、衣装の原形を留めないため、本来の衣装としては二度と使用することも観賞することもできない。【００１４】  特に嵩高性が問題となるウエディングドレスの収納、保存、または活用について、市販の結婚情報誌やインターネットの相談コーナー等を参照してみると、活発な議論が多く見られる一方、真空パックにすること、ミニチュアドレスやベビードレス、あるいはクッション等に作り替えること、または衣装ケースやタンス等に入れること以外の選択肢は提案されていない。（例えば、非特許文献１〜７参照）【００１５】  本発明は、上述の課題を解決するため、衣装を小さく収納する際に避けられない皺や型くずれを、任意の形状を表現するための一要素とみなす独自の考えに基づいて、衣装の収納と保存、観賞の三つの要求に応えるとともに、生活空間を芸術的に装飾したいという要求にも応え、また、実用品の一部もしくは全部としても活用できる発展性を持つことによって、生活空間の中に効率よく存在できる装飾体を提供するためになされた。
【課題を解決するための手段】
【００１６】  この発明の装飾体は、インナー部材とアウター部材とから成る装飾体であって、装飾体の本体であるインナー部材は、衣装を主な資材として作成した任意の形状体であり、装飾体の本体を収容するケースであるアウター部材は、少なくとも一部分が透明または半透明であることを前提とする。【００１７】  上記の前提の構成において、本発明では、インナー部材は衣装を主な資材として、以下のように構成される。【００１８】  衣装を収納するために折り畳んだり丸めたりするときに表れる生地等の折り目や曲面、筋、また生地が重なり合うことによって表れる色の濃淡や陰影等を、草花を模した形や幾何学模様等を表現するための一要素とみなして意図的に施しながら、任意の形状とした状態をクリップ等によって保持する。【００１９】  また、この過程において使用する保持のための部品は、単に保持機能を持つばかりではなく、色彩や形状、質感等を工夫して露出させたり、衣装の生地を透かして視認できるようにしたりして装飾効果を高める効果を持つことができる。【００２０】  尚、本発明では、前記の保持のための部品は、それぞれ独立して存在できる樹脂製の板や留め具等で、またインナー部材を形成する際に衣装に取り付けることを基本としているが、これとは逆に前記のアウター部材の側に備えたり、アウター部材を構成する部品の一部もしくは全部と同一のものとしたり、また、インナー部材とアウター部材の両方に備えることもできる。【００２１】  また、保存しようとする衣装にもともと備わっているファスナーやボタン、フック、あるいは、生地や芯材の柔軟性、反発力、張力、復元力等を、保持のための部品あるいは機能として活用することもできる。特に、衣装を折り畳んだり、縛ったり、ひねったり、折り目を広げたりすることを、任意の形状をつくるための主な表現手法とする場合は、折り紙やふろしきと同様に、衣装自体によって多彩な形状を表現でき、また保持できる。【００２２】  以上のようにして構成されるインナー部材は、衣装の収納あるいは保存をしやすくするという目的においては、衣装を再び使用する際には保持を解除し、アイロンをかける等して原状を回復することができるという点で、単に折り畳んだり丸めたりする場合と比較して、同等かそれ以上の効果がある。【００２３】  また、観賞をしやすくするという目的においては、保持のための部品やその他の装飾部品を加減することにより、衣装本来の大きさを上まわる大きさにすることも、頗る小さくすることもできる上、衣装に本来とは別の芸術的要素を加えることができるという点で、単にボディに着せたりハンガーにかけて吊るしたりする場合と比較して同等かそれ以上の効果がある。【００２４】  さて、上記の前提のとおり、本発明では、アウター部材は少なくとも一部分が透明または半透明である。これにより、内包するインナー部材を観賞することを可能にしている。透明部分にはサンドブラスト加工やカッティングシートによる装飾等を施して、また、その他の部分には彫刻やプリント装飾等を施して、装飾効果を高めることもできる。【００２５】  アウター部材は、インナー部材を出し入れする際に使用する開口部を備えている。開口部はアウター部材を大きく二つに分断す���様式を基本とするが、インナー部材の形状と大きさに合わせて、アウター部材の後面、上面、側面、下面、前面のうちのいずれかに備えることができる。尚、開口部にはパッキンやオーリング等を挟み、開口部の蓋となる部品をネジ止めすることによって内部の機密性を保つことができる。【００２６】  また、アウター部材は密閉できる構造にするとともに、内側の空気を抜き取る際や、窒素ガス等、別の物質と置き換える際や、防虫剤、脱酸素剤、除湿剤等を封入する際に使用するチューブやバルブを装着できるひとつ以上の穴を備えることができ、これによりインナー部材の保存性を高めることができる。【００２７】  また、この発明の装飾体では、上記前提の構成において、インナー部材と併存する独立した庫をアウター部材にひとつ以上設けることができる。前記の庫は、インナー部材の主な資材となった衣装に関する記念品、あるいは貴重品等を収納する場所として活用できる。【００２８】  この発明の装飾体のインナー部材とアウター部材とには、音、光線、画像、映像、色、香り、熱、風、動きのいずれか、或いはこれらのうちの二つ以上を組み合わせて表す装置を備えることができる。この装置は、例えば、からくり時計におけるからくりのように働き、この発明の装飾体の存在感を増したり、装飾効果を高めたりできる。また、インナー部材の主な資材とした衣装にまつわる記憶を刺激したり、本発明による装飾体を用いて表現しようとする芸術性を増したりできる。【００２９】  また、この発明の装飾体には、アウター部材の材料や形状を工夫したり、アウター部材に保持金具等を取り付けたりすることによって、台座、足、蝶番、ハンドル、フック、鏡、開閉式の仕切り等、什器や建築材料を構成するための部品のいずれか、或いはこれらを組み合わせて取り付けることができる。例えば、アウター部材を薄い額縁状の丈夫な構造にするとともに、アウター部材の後面に備えたパンチングメタル板に足をつける等して水平に設置することによって机やテーブルとして活用でき、また、台座をつける等して垂直に設置することによって衝立、間仕切り、屏風、サイン、看板、ベッドボード等として活用でき、また、蝶番もしくはキャスター等とハンドルをつけることによって扉、フックを取り付けることによってアートフレーム、鏡を取り付けることによって鏡台として活用できる。【００３０】  また、本発明による装飾体は、送風機、暖房器具、映像表示装置、音響装置、時計等と一体にすることができる。例えば、インナー部材に照明装置を取り付け、アウター部材を薄型にして天井に取り付けることによって照明器具とすることができる。この場合、もともと照明器具を取り付けるために必要だった空間を、衣装の収納場所と兼用することによる省スペース効果がある他、照明器具は部屋を明るくするのみならず、本発明による装飾体の存在感をより強調することと相まってシャンデリアのように部屋を効率良く装飾できる。このように、この発明の装飾体は、単に収納と保存、また観賞のためのものとしてではなく、家具や家電製品等の実用品の一部もしくは全部として活用され得る。
【発明を実施するための形態】
【００３１】  本発明の装飾体の実施の形態を説明する。図１及び図２は、本実施の形態による装飾体の前面、後面それぞれの斜視図であり、図３及び図４は、インナー部材の前面と後面をそれぞれ示している。
【００３２】  図３及び４に示すように、本実施の形態では、インナー部材１はウエディングドレス３を主な資材とし、ナイロン等の柔軟性のある素材のメッシュ板６を基礎にして、このメッシュ板６にウエディングドレスドレス３を絡めながら、折り曲げたり、ひねったりすることによって皺や曲面を表すことと、表した皺や曲面の裏側にナイロン等の強度と弾性を兼ね備えた素材のヘアピン状のクリップ７を複数使用することによって、薔薇の花を模した形状で保持している。さらに、中心部分には結婚式で使用したティアラ４を、ウエディングドレス３の皺の中に埋め込むことにより保持して一部を露出させている。
【００３３】  図３に示すように、インナー部材１の前面にはプリザーブドフラワー５が複数配置されている。これらはウエディングドレス３を折り畳むときにできる皺と皺の間に挟み込むことにより保持している。また、皺のない部分においては適宜箇所に配置した小型の磁石と鉄製のプレート（図示省略）によって保持している。
【００３４】  一方、図４に示すようにインナー部材１の後面にはＬＥＤ照明装置８と、前記ＬＥＤ照明装置８の点灯に反応して一定時間音を奏でることができる電子式のオルゴール９とを取り付けてある。オルゴール９には結婚式で使用した楽曲等を使用できる。また、前記のメッシュ板６には、アウター部材２と接続するためのスナップボタン付きプレート１０を設けている。
【００３５】  さらに、図４に示すように、インナー部材１の裏側には独立して回転する円形板１１を備えている。この円形板１１には四枚の反射板を取り付け、ＬＥＤ照明装置８による光線を乱反射して装飾効果を増す。円形板１１には、軸とプーリーを取り付けて回転できるようにしている。また、前記オルゴール９が出す音と連動して前記円形板１１を回転させるモーターとギアボックス及びセンサーから成る回転機構１２をインナー部材の後面下部に配置している。
【００３６】  図５及び図６は、本実施の形態の装飾体のアウター部材２の前面及び後面をそれぞれ示す図である。本実施の形態では、アウター部材２の側面及び後面には樹脂系塗材を塗布した桐材を使用し、前面には紫外線カット加工とサンドブラスト加工を施した強化ガラス１４を取り付けている。尚、樹脂系塗材は透明または半透明のもの、例えばプレポリマー塗料（寿化工株式会社製品）が好適に使用される。また、桐材を白木の状態で使用する場合で、表面の汚れを避けたい場合には、桐材周囲の通気を確保した状態で樹脂や金属、ガラス等の汚れ防止プレートを備える。また、アウター部材２の全体は、後述する開閉部１７を除き、シリコン系シーリング材を用いて密封している。
【００３７】  図６に示すように、アウター部材２の後面には、インナー部材１と干渉しない部位に、開閉部１７を設けている。開閉部１７はアウター部材２の内側に、独立した空間として設けた庫（図示省略）に通じており、これにより写真や書類、貴重品等を保管できる。また、アウター部材２の後面には、主電源スイッチ２０を設けており、この主電源スイッチ２０によってインナー部材１に取り付けたＬＥＤ照明装置８等の電源のオンオフを切り替える。
【００３８】  また、装飾効果を高めるため、アウター部材２のガラス１４には上記のとおりサンドブラスト加工を施した他、その周囲の桐材には宝石と細い貴金属を埋め込んだ彫刻１３を施してあり、また前面下部中心には文字と模様を刻み込んだ小プレート１６を備える。
【００３９】  さらに、アウター部材２の後面には凹凸加工１８を施している。これにより、桐材の調湿機能をより効率良く活用でき、内包するインナー部材１の保存性を高め、またアウター部材２が住宅の壁面等に接する面積を小さくでき、壁面等との間の通気性を確保する。
【００４０】  また、アウター部材２の後面下部には小バルブ２１及び大バルブ２２を取り付けている。これはアウター部材２の内部の空気を抜き取り、窒素ガスと置き換えることによってインナー部材の保存性を高める場合に使用する他、脱酸素剤、除湿剤、防虫剤等を封入する際にも使用する。
【００４１】  また、電源コード１５はインナー部材１に取り付けられたＬＥＤ照明装置８及び電子式オルゴール９と回転機構１２の内部のモーターに電力を供給する。尚、電源コード１５の取り出し口はアウター部材２の内部を密閉するために、シリコン系シーリング材を使って封じている。
【００４２】  さらに、アウター部材２の後面にはアルミ製のパンチングメタル板１９を備えている。これに任意の部品をネジ止めすることにより、本実施の形態の装飾体を壁面に取り付けたり、テーブルとしたり、天井に取り付けて照明器具としたりできる。
【００４３】  図７及び図８は、本実施の形態の装飾体のアウター部材２の前面に右扉２３及び左扉２４を取り付けて閉じた状態と開けた状態をそれぞれ示す図である。右扉２３及び左扉２４はアウター部材２の両端に取り付けた蝶番によってそれぞれ開閉できる仕組みになっている。インナー部材１を観賞する場合には開け、それ以外のときには閉めておくことができる。
【００４４】  図７が示すとおり、右扉２３には五分割された写真立て２５を備えている。これにより、観賞する写真や絵画等を入れておくことができる。また、写真立て２５の一部もしくは全部は、裏あて板を取り除くことができる仕組みになっており、この裏あて板を取り除くことによって、扉を閉じた状態でも内側を覗き見ることができる。
【００４５】  また、左扉２４の表面には鏡２６が取り付けてある。これにより、左扉２４を閉じた状態では本実施の形態による装飾体を取り付けた空間を広く見せる効果を期待でき、また、身だしなみを確認する等のために使用することができる。
【００４６】  また、図８が示すとおり、右扉２３及び左扉２１の付け根にはそれぞれ右保持金具３３及び左保持金具３４を取り付けている。これにより、扉を開けた状態を保ち、風に煽られる等して扉が動くことを防ぐ。さらに、右扉２３の上部付け根付近にはマイクロスイッチ２７を取り付けている。これにより、右扉２３を開けた場合にのみ、インナー部材１に取り付けたＬＥＤ照明装置８のスイッチを入れられる仕組みになっている。
【００４７】  また、右扉２３の裏面には前記の写真立て２５の後面がある。この写真立て２５は、前面の透明板と裏あて板の両方を取り外すことができる構造になっているため、前記の透明板と裏あて板を入れ替えることにより、右扉２３を閉めた状態で写真や絵画を観賞することができる一方、右扉２３を開けた状態で写真や絵画を観賞できるように切り替えることもできる。
【００４８】  また、左扉２４の裏面には大プレート３０を取り付けている。大プレート３０にはエッチング加工を施して装飾効果を高め、左扉２４の後面に取り付けられた右レール３１及び左レール３２及び下レール３５とプレート押さえ爪２８によって保持する。また、大プレート３０は取り外すことができるため、結婚式の時に使用するウェルカムボード等と兼用できる。
【００４９】  さらに、大プレート３０は左扉２４に取り付けられた鏡２６の裏あてになっている。このため、大プレート３０を取り外せば鏡２６を取り外すことができ、鏡２６の角についた汚れ等をふき取ったり、別の鏡等と交換したりすることができる。
【００５０】  尚、大プレート３０と鏡２６との間には隙間を埋めて互いを安定させるためにフェルトシート２９を挟んでいる。また、フェルトシート２９に芳香剤をしみ込ませることにより、任意の香りを一定期間にわたって放出させることができる。
【００５１】  上述のように、本実施の形態では、右扉２３と左扉２４は共に装飾効果を高める特徴を備えているが、装飾効果を常に必要とするわけではない場合には、扉の表面を部屋の壁や家具等と似た仕上げにする。また扉の代わりにカーテン等を取り付けて、単に観賞を制限する仕切りにすることもできる。
【００５２】  ところで、本実施の形態における特筆すべき特徴として、衣装を折り畳む際にできる皺や型くずれを、装飾効果を高めるための表現手法の一要素として意図的につくっていることがあげられる。つまり通常、皺や型くずれは好ましくないものとされ、回避するための方法が提案されている。従って、本発明のように衣装の収納あるいは保存を目的のひとつとする場合、衣装の原状をできるだけ改変しないように配慮するのが一般的な常識（既成概念）といえるが、本発明では係る概念を打破し、改変を好ましいこととしている。しかし、衣装を単なる布地素材とみなす考え方には至らず、衣装を保存するという前提を守っている。
【００５３】  さらに、本発明による装飾体は、ドレスの一部を切り取る等してミニチュアドレスやベビードレス等を製作する要求がある場合にも、その残りの部分を保存し、観賞するためのものとして提供できる。
【００５４】  以上、本発明の原理、実施の形態及び考え方を記述した。しかし、本発明は、説明した特定の実施の形態に限られると解釈すべきではない。したがって、以上に記述した実施の形態は、制限的というよりも実証例としてみなすべきであり、これら実施の形態の様々な変形例が、請求の範囲にて定義される本発明の範囲から逸脱することなく当業者により作られるであろうことを理解されたい。
【発明の効果】
【００５５】  本発明によれば、衣装の収納と保存、観賞の三つの要求に効率良く応えるとともに、衣装を小さく収納する際に避けられない皺や型くずれを、装飾効果の一要素として活用することによって、保存しようとする衣装が備えていた装飾品としての潜在的な価値を導き出すことができ、効率良く生活空間を装飾することができる。また、単なる装飾品としてではなく、実用品の一部もしくは全部として生活空間の中に効率良く存在した状態で、生活空間を装飾することができる。
【図面の簡単な説明】
【００５６】
【図１】本発明の実施の形態における装飾体の前面外観斜視図である。
【図２】本発明の実施の形態における装飾体の後面外観斜視図である。
【図３】本発明の実施の形態における装飾体のインナー部材前面を示す図である。
【図４】本発明の実施の形態における装飾体のインナー部材後面を示す図である。
【図５】本発明の実施の形態における装飾体のアウター部材前面を示す図である。
【図６】本発明の実施の形態における装飾体のアウター部材後面を示す図である。
【図７】本発明の実施の形態における装飾体に付けた扉を閉じた状態を示す図である。
【図８】本発明の実施の形態における装飾体に付けた扉を開けた状態を示す図である。
【符号の説明】
【００５７】１  インナー部材
２  アウター部材
３  ウエディングドレス
４  ティアラ
５  プリザーブドフラワー
６  メッシュ板
７  クリップ
８  ＬＥＤ照明装置
９  オルゴール
１０  スナップボタン付きプレート
１１  円形板
１２  回転機構
１３  彫刻
１４  強化ガラス
１５  電源コード
１６  小プレート
１７  開閉部
１８  凹凸加工
１９  パンチングメタル板
２０  主電源スイッチ
２１  小バルブ
２２  大バルブ
２３  右扉
２４  左扉
２５  写真立て
２６  鏡
２７  マイクロスイッチ
２８  押さえ爪
２９  フェルトシート
３０  大プレート
３１  右レール
３２  左レール
３３  右保持金具
３４  左保持金具
３５  下レール
【図１】
2011161904.tif 000003
【図２】
2011161904.tif 000004
【図３】
2011161904.tif 000005
【図４】
2011161904.tif 000006
【図５】
2011161904.tif 000007
【図６】
2011161904.tif 000008
【図７】
2011161904.tif 000009
【図８】
2011161904.tif 000010